(57)【要約】【課題】用途に応じて異なる画面を出力するときのユーザーの利便性がより高い表示制御システム、サーバ装置、表示制御方法及びプログラムを提供する。【解決手段】本発明の表示制御システムは、データを操作する操作部と、データを記憶する記憶部と、データに含まれる付記情報を除いた公開用データを生成する画像処理部と、公開用データを一時的に記憶するキャッシュ部と、データ又は公開用データを表示する表示部と、データの公開要求を操作部から受信したときに、データを操作部に送信するとともに、公開用データがキャッシュ部に記憶されている場合は、公開用データを表示部に送信し、公開用データがキャッシュ部に記憶されていない場合は、データを表示部に送信する送信制御部とを備える。【選択図】図１
2014178898.tif 000002
【特許請求の範囲】
【請求項１】
データを操作する操作部と、
前記データを記憶する記憶部と、
前記データに含まれる付記情報を除いた公開用データを生成する画像処理部と、
前記公開用データを一時的に記憶するキャッシュ部と、
前記データ又は前記公開用データを表示する表示部と、
前記データの公開要求を前記操作部から受信したときに、前記データを前記操作部に送信するとともに、前記公開用データが前記キャッシュ部に記憶されている場合は、前記公開用データを前記表示部に送信し、前記公開用データが前記キャッシュ部に記憶されていない場合は、前記データを前記表示部に送信する送信制御部と
を備える表示制御システム。
【請求項２】
前記データが前記記憶部に記憶されたか否かを監視する監視部を更に備え、
前記画像処理部は、前記データが記憶されたときに、前記データに付記情報が含まれるか否かを判定し、含まれる場合は、前記付記情報を除いた公開用データを生成する
請求項１に記載の表示制御システム。
【請求項３】
前記送信制御部は、
前記公開要求を前記操作部から受信したときに、前記公開用データが前記キャッシュ部に記憶されていない場合は、前記画像処理部に、前記公開用データの生成を要求し、前記公開用データが生成できた場合は、前記公開用データを前記表示部に送信する
請求項１又は２に記載の表示制御システム。
【請求項４】
前記送信制御部は、
前記データの閲覧要求を前記操作部から受信したときに、前記公開用データが前記キャッシュ部に記憶されている場合は、前記公開用データを前記操作部に送信し、前記公開用データが前記キャッシュ部に記憶されていない場合は、前記データを前記操作部に送信する
請求項１乃至３のいずれか１項に記載の表示制御システム。
【請求項５】
前記送信制御部は、
前記閲覧要求を前記操作部から受信したときに、前記公開用データが前記キャッシュ部に記憶されていない場合は、前記画像処理部に、前記公開用データの生成を要求し、前記公開用データが生成できた場合は、前記公開用データを前記操作部に送信する
請求項４に記載の表示制御システム。
【請求項６】
データを記憶する記憶部と、
前記データに含まれる付記情報を除いた公開用データを生成する画像処理部と、
前記公開用データを一時的に記憶するキャッシュ部と、
前記データの公開要求を前記操作部から受信したときに、前記データを操作部に送信するとともに、前記公開用データが前記キャッシュ部に記憶されている場合は、前記公開用データを表示部に送信し、前記公開用データが前記キャッシュ部に記憶されていない場合は、前記データを前記表示部に送信する送信制御部と
を備えるサーバ装置。
【請求項７】
データを記憶する記憶部を備えるサーバ装置の表示制御方法であって、
画像処理部が、前記データに含まれる付記情報を除いた公開用データを生成するステップと、
キャッシュ部が、前記公開用データを一時的に記憶するステップと、
送信制御部が、前記データの公開要求を前記操作部から受信するステップと、
送信制御部が、前記データを操作部に送信するステップと、
送信制御部が、前記公開用データが前記キャッシュ部に記憶されている場合は、前記公開用データを表示部に送信し、前記公開用データがキャッシュ部に記憶されていない場合は、前記データを前記表示部に送信するステップと
を含む表示制御方法。
【請求項８】
データを記憶する記憶部を備えるコンピュータを、
前記データに含まれる付記情報を除いた公開用データを生成する画像処理部と、
前記公開用データを一時的に記憶するキャッシュ部と、
前記データの公開要求を前記操作部から受信したときに、前記データを操作部に送信するとともに、前記公開用データが前記キャッシュ部に記憶されている場合は、前記公開用データを表示部に送信し、前記公開用データが前記キャッシュ部に記憶されていない場合は、前記データを前記表示部に送信する送信制御部
として機能させるためのプログラム。
【発明の詳細な説明】
【技術分野】
【０００１】
本発明は、表示制御システム、サーバ装置、表示制御方法及びプログラムに関する。
【背景技術】
【０００２】
プレゼンテーションを行う際に、プロジェクターや大型ディスプレイなどの説明に使用する表示画面と、プレゼンテーションを行う人が操作する端末の表示画面に表示する内容を変える技術が知られている。
【０００３】
本発明に関連する文献公知発明としては、特許文献１がある。特許文献１には、プレゼンテーションを行う人が操作する端末に複数の表示領域を設ける情報処理装置の発明が開示されている。特許文献１の情報処置装置は、当該複数の表示領域から、プロジェクターなどに表示する表示領域を選択可能にすることで、プロジェクターなどに表示する内容と端末に表示する内容を変えている。
【発明の概要】
【発明が解決しようとする課題】
【０００４】
しかしながら、従来の技術では、表示画面に表示する内容を変えるために、煩雑な設定などが必要となる場合があった。
【０００５】
本発明は、上記に鑑みてなされたものであって、用途に応じて異なる画面を出力するときのユーザーの利便性がより高い表示制御システム、サーバ装置、表示制御方法及びプログラムを提供することを目的とする。
【課題を解決するための手段】
【０００６】
上述した課題を解決し、目的を達成するために、本発明の表示制御システムは、データを操作する操作部と、前記データを記憶する記憶部と、前記データに含まれる付記情報を除いた公開用データを生成する画像処理部と、前記公開用データを一時的に記憶するキャッシュ部と、前記データ又は前記公開用データを表示する表示部と、前記データの公開要求を前記操作部から受信したときに、前記データを前記操作部に送信するとともに、前記公開用データが前記キャッシュ部に記憶されている場合は、前記公開用データを前記表示部に送信し、前記公開用データが前記キャッシュ部に記憶されていない場合は、前記データを前記表示部に送信する送信制御部とを備える。
【発明の効果】
【０００７】
本発明によれば、用途に応じて異なる画面を出力するときのユーザーの利便性をより高くすることができるという効果を奏する。
【図面の簡単な説明】
【０００８】
【図１】図１は、本実施の形態の表示制御システムの機能ブロックの一例を示す図である。
【図２】図２は、本実施の形態の表示制御システムのデータの一例を示す図である。
【図３】図３は、本実施の形態の表示制御システムの公開用データの一例を示す図である。
【図４】図４は、本実施の形態の表示制御システムのハードウェアの関係の一例を示す図である。
【図５】図５は、本実施の形態の表示制御システムの画像処理方法の一例を説明するためのフローチャートである。
【図６】図６は、本実施の形態の表示制御システムの表示制御方法（閲覧要求の場合）の一例を説明するためのシーケンス図である。
【図７】図７は、本実施の形態の表示制御システムの表示制御方法（操作要求及び公開要求の場合）の一例を説明するためのシーケンス図である。
【図８】図８は、本実施の形態のサーバ装置のハードウェア構成の一例を示す図である。
【発明を実施するための形態】
【０００９】
以下に添付図面を参照して、表示制御システム、サーバ装置、表示制御方法及びプログラムの実施の形態を詳細に説明する。
【００１０】
図１は、本実施の形態の表示制御システム１００の機能ブロックの一例を示す図である。本実施の形態の表示制御システム１００は、サーバ装置１０、ＰＣ（Ｐｅｒｓｏｎａｌ  Ｃｏｍｐｕｔｅｒ）３０、携帯端末４０、プロジェクター５０及びディスプレイ６０を備える。サーバ装置１０、ＰＣ（Ｐｅｒｓｏｎａｌ  Ｃｏｍｐｕｔｅｒ）３０、携帯端末４０、プロジェクター５０及びディスプレイ６０は、ネットワークを介して互いに接続されている。なお、当該ネットワークの通信方式は、無線方式によるものでも有線方式によるものでもよい。また、当該ネットワークの通信方式は、無線方式及び有線方式を組み合わせて実現されていてもよい。
【００１１】
ＰＣ３０及び携帯端末４０は、データの編集などの操作を行う操作部として機能する。プロジェクター５０及びディスプレイ６０は、データ又は公開用データを表示する表示部として機能する。なお、操作部及び表示部は、上記の装置に限られず、任意の装置でよい。
【００１２】
図２は、本実施の形態の表示制御システム１００のデータの一例を示す図である。図２の例では、データは、本文情報７１と付記情報７２とを含む。本文情報７１は、データの主たる内容を表す本文の情報である。なお、本文情報７１は、図形やグラフなどの文章以外の情報を含んでいてもよい。付記情報７２は、本文情報７１の内容に対するメモなどの情報である。
【００１３】
図３は、本実施の形態の表示制御システム１００の公開用データの一例を示す図である。公開用データは、データから付記情報７２を除いて得られる本文情報７１のみの情報である。
【００１４】
サーバ装置１０は、送信制御部１１、データ管理部１２、画像処理部１３、履歴管理部１４、キャッシュ管理部１５、ユーザー管理部１６、監視部１７、共有制御部１８、アクセス権制御部１９、表示制御部２０、記憶部２１及びキャッシュ部２２を備える。
【００１５】
記憶部２１は、データ、データ管理情報、ユーザー情報及び履歴情報などを記憶する。キャッシュ部２２は、公開用データを一時的に記憶する。データ管理部１２は、データ管理情報を編集する。データ管理情報は、データと公開用データとの関連を管理する情報である。ユーザー管理部１６は、ユーザー情報を編集する。ユーザー情報は、サーバ装置１０に接続できるユーザーを管理する情報である。履歴管理部１４は、履歴情報を編集する。履歴情報は、サーバ装置１０に接続したユーザーの履歴、記憶部２１のデータの更新履歴及びキャッシュ部２２のデータの更新履歴などを管理する情報である。
【００１６】
画像処理部１３は、データに含まれる付記情報を除いた公開用データを生成する。なお、画像処理部１３は、付記情報のみのデータを別途、生成してもよい。この場合は、データ管理情報は、データと公開用データとの関連の管理に加えて、付記情報のみのデータとの関連についても管理する。キャッシュ管理部１５は、画像処理部１３により生成された公開用データを、キャッシュ部２２に記憶する。これにより、他の装置が、サーバ装置１０から公開用データを取得する際のレスポンスタイムを向上させる。また、キャッシュ管理部１５は、当該公開用データを、所定の時間経過した後に削除する。なお、当該所定の時間は、表示制御システム１００の環境に合わせて任意に決定してよい。監視部１７は、データが記憶部２１に記憶されたか否かを監視する。画像処理部１３は、データが記憶されたときに、データに付記情報が含まれるか否かを判定し、含まれる場合に、付記情報を除いた公開用画像データを生成してもよい。
【００１７】
送信制御部１１は、ＰＣ３０、携帯端末４０、プロジェクター５０及びディスプレイ６０との間でデータを送受信する。送信制御部１１は、データの公開の要求を示す公開要求を操作部（ＰＣ３０又は携帯端末４０）から受信すると、データを操作部に送信する。また、このとき、送信制御部１１は、公開用データがキャッシュ部２２に記憶されている場合は、公開用データを表示部（プロジェクター５０又はディスプレイ６０）に送信し、公開用データがキャッシュ部２２に記憶されていない場合は、データを表示部に送信する。なお、送信制御部１１は、公開要求を操作部から受信したときに、公開用データがキャッシュ部２２に記憶されていない場合は、画像処理部１３に、公開用データの生成を要求し、公開用データが生成できた場合は、当該公開用データを表示部に送信してもよい。
【００１８】
また、送信制御部１１は、データの閲覧要求を操作部から受信したときに、公開用データがキャッシュ部２２に記憶されている場合は、公開用データを操作部に送信し、公開用データがキャッシュ部２２に記憶されていない場合は、データを操作部に送信する。なお、閲覧要求を操作部から受信したときに、公開用データがキャッシュ部２２に記憶されていない場合は、画像処理部１３に、公開用データの生成を要求し、公開用データが生成できた場合は、公開用データを操作部に送信してもよい。
【００１９】
アクセス権制御部１９は、ユーザー情報として登録済みユーザーが、サーバ装置１０のリソースにアクセスできる範囲などを制御する。共有制御部１８は、ＰＣ３０や携帯端末４０などからネットワーク経由でデータを保管できるようにするための共有設定を制御する。監視部１７は、ユーザーがＰＣ３０や携帯端末４０などからサーバ装置１０に、データなどのデータが記憶されたか否かを監視する。表示制御部２０は、プロジェクター５０やディスプレイ６０などの表示部の表示を制御するための処理を行う。例えば、表示制御部２０は、プロジェクター５０やディスプレイ６０などの表示部に、次に表示させる公開用データを、記憶部２１又はキャッシュ部２２から取得するなどの処理を行う。
【００２０】
図４は、本実施の形態の表示制御システム１００のハードウェアの関係の一例を示す図である。図４の例では、サーバ装置１０、ＰＣ３０、携帯端末４０及びプロジェクター５０がネットワークを介して接続されている。ＰＣ３０は、サーバ装置１０のデータを閲覧する。また、ＰＣ３０は、サーバ装置１０にデータを保存する。携帯端末４０は、サーバ装置１０内に保存されたデータを選択して、公開要求（表示部がプロジェクター５０であるため、ここでは投影要求）をサーバ装置１０に送信する。サーバ装置１０は、携帯端末４０側にはメモなどの付記情報を含むデータを転送し、プロジェクター５０にはメモなどの付記情報を含まない公開用データを転送（投影）する。これにより、プレゼンテーションなどを行う際に、携帯端末４０のユーザーは、プロジェクターには表示されないメモなどを携帯端末４０で確認することにより、円滑にプレゼンテーションを行うことができる。
【００２１】
図５は、本実施の形態の表示制御システム１００の画像処理方法の一例を説明するためのフローチャートである。監視部１７は、記憶部２１にデータが、新たに記憶されたか否かを監視する（ステップＳ１）。データが記憶された場合（ステップＳ２、Ｙｅｓ）は、ステップＳ３に進む。データが記憶されていない場合（ステップＳ２、Ｎｏ）は、ステップＳ１に戻る。なお、監視部１７は、データが新たに記憶されたか否かだけではなく、記憶部２１の既存のデータが更新されたか否かについても監視してもよい。この場合は、既存のデータが更新された場合も、ステップＳ３に進む。
【００２２】
画像処理部１３は、データに付記情報が含まれるか否かを判定する（ステップＳ３）。データに付記情報が含まれる場合（ステップＳ３、Ｙｅｓ）は、画像処理を行い、データに含まれる付記情報を除いた公開用データを生成する（ステップＳ４）。次に、キャッシュ管理部１５は、当該公開用データをキャッシュ部２２に記憶する（ステップＳ５）。次に、データ管理部１２が、記憶部２１のデータ管理情報に、当該データと当該公開用データとを関連付けるための情報を登録する（ステップＳ６）。データに付記情報が含まれない場合（ステップＳ３、Ｎｏ）は、データ管理部１２が、記憶部２１のデータ管理情報に、当該データには、付記情報がない旨の情報を登録する（ステップＳ６）。
【００２３】
なお、データに付記情報が含まれる場合（ステップＳ３、Ｙｅｓ）の具体例としては、スライドショー形式により情報を表示することができるプレゼンテーションソフトなどにより作成されたデータが挙げられる。このようなソフトでは、メモなどの付記情報であるか否かをデータ形式などにより識別することができるため、画像処理部１３が、データから当該付記情報のみを除くことができる。なお、本実施の形態の表示制御システム１００で扱うデータは、付記情報が識別できるデータ形式であれば、プレゼンテーションソフトにより作成されたデータに限られず、任意のソフトウェアにより作成されたデータでよい。
【００２４】
図６は、本実施の形態の表示制御システム１００の表示制御方法（閲覧要求の場合）の一例を説明するためのシーケンス図である。ユーザーは、ＰＣ３０や携帯端末４０などの操作部に、ユーザー名やパスワードなどのログイン情報を入力（ログイン）する（ステップＳ１１）。操作部は、ＨＴＴＰ（ＨｙｐｅｒＴｅｘｔ  Ｔｒａｎｓｆｅｒ  Ｐｒｏｔｏｃｏｌ）により、ログイン情報を送信制御部１１に送信する（ステップＳ１２）。送信制御部１１は、ユーザー管理部１６にログイン情報を送信する（ステップＳ１３）。ユーザー管理部１６は、ログイン情報と記憶部２１のユーザー情報を比較することにより、ユーザーを認証する（ステップＳ１４）。
【００２５】
ユーザーは、記憶部２１に記憶されているフォルダーを参照するための操作を行う（ステップＳ１５）。操作部は、ＨＴＴＰにより、当該フォルダーに含まれるデータの一覧を取得するデータ一覧取得要求を、送信制御部１１に送信する（ステップＳ１６）。送信制御部１１は、当該データ一覧取得要求を、データ管理部１２に送信する（ステップＳ１７）。データ管理部１２は、当該ユーザーが当該フォルダーを参照する権限（アクセス権）があるか否かをアクセス権制御部１９に確認する（ステップＳ１８）。当該ユーザーに当該アクセス権があると判定された場合は、データ管理部１２は、記憶部２１を参照することにより、当該フォルダーに含まれるデータの一覧を表す情報を作成する（ステップＳ１９）。
【００２６】
ユーザーは、操作部に表示されたデータの一覧から、閲覧したいデータを選択するための操作を行う（ステップＳ２０）。操作部は、ＨＴＴＰにより、選択されたデータを閲覧する閲覧要求を、送信制御部１１に送信する（ステップＳ２１）。送信制御部１１は、当該閲覧要求を、データ管理部１２に送信する（ステップＳ２２）。データ管理部１２は、当該データが記憶部２１に記憶されているか否かを確認する（ステップＳ２３）。また、データ管理部１２は、受信した要求が閲覧要求であるため、当該データに対応する公開用データがキャッシュ部２２に記憶されているか否かも確認する。公開用データが記憶部２１に記憶されている場合は、データ管理部１２は、公開用データを送信制御部１１に送信する（ステップＳ２４）。なお、公開用データがキャッシュ部２２に記憶されていない場合は、データ管理部１２は、当該データそのものを送信制御部１１に送信する。送信制御部１１は、ステップＳ２４でデータ管理部１２から受信したデータを操作部に送信する（ステップＳ２５）。操作部は、ユーザーにステップＳ２５で送信制御部１１から受信したデータを表示する（ステップＳ２６）。
【００２７】
なお、上述の説明では、操作部（ＰＣ３０や携帯端末４０など）と送信制御部１１との間で、ＨＴＴＰを使用している。しかしながら、操作部と送信制御部１１との間で使用するプロトコルは、ＨＴＴＰ（Ｓ）に限られず、任意のプロトコルでよい。
【００２８】
図７は、本実施の形態の表示制御システム１００の表示制御方法（操作要求及び公開要求の場合）の一例を説明するためのシーケンス図である。ステップＳ３１〜ステップＳ３９は、図６のステップＳ１１〜ステップＳ１９と同じであるため、説明を省略する。
【００２９】
ユーザーは、操作部に表示されたデータの一覧から、編集したいデータを選択するための操作を行う（ステップＳ４０）。操作部は、ＨＴＴＰにより、選択されたデータを編集する編集要求を、送信制御部１１に送信する（ステップＳ４１）。送信制御部１１は、当該編集要求を、データ管理部１２に送信する（ステップＳ４２）。データ管理部１２は、当該データが記憶部２１に記憶されているか否かを確認する（ステップＳ４３）。当該データが記憶部２１に記憶されている場合は、データ管理部１２は、当該データを送信制御部１１に送信する（ステップＳ４４）。送信制御部１１は、ステップＳ４４でデータ管理部１２から受信したデータを操作部に送信する（ステップＳ４５）。操作部は、ユーザーにステップＳ４５で送信制御部１１から受信したデータを表示する（ステップＳ４６）。
【００３０】
ユーザーは、ステップＳ４６で表示されたデータを公開（投影）するための操作を行う（ステップＳ４７）。操作部は、ＨＴＴＰにより、選択されたデータを公開する公開要求を、送信制御部１１に送信する（ステップＳ４８）。送信制御部１１は、当該公開要求を、データ管理部１２に送信する（ステップＳ４９）。データ管理部１２は、受信した要求が公開要求であるため、当該データに対応する公開用データがキャッシュ部２２に記憶されているか否かを確認する（ステップＳ５０）。データ管理部１２は、データを送信制御部１１に送信するとともに、公開用データが記憶部２１に記憶されている場合は、公開用データも送信制御部１１に送信する（ステップＳ５１）。なお、公開用データがキャッシュ部２２に記憶されている場合でも、画像処理部１３が、当該データに含まれる付記情報を除いた公開用データを新たに生成してもよい。例えば、ステップＳ４６で表示されたデータをユーザーが編集することにより、データ管理部１２が、当該データが更新されていることを認識した場合は、画像処理部１３が、当該データに含まれる付記情報を除いた公開用データを新たに生成する。送信制御部１１は、データを操作部に送信する（ステップＳ５２）。送信制御部１１は、公開用データを表示部に送信する（ステップＳ５３）。操作部は、ユーザーにステップＳ５２で送信制御部１１から受信したデータを表示する（ステップＳ５４）。
【００３１】
ユーザーは、ステップＳ５４で表示されたデータの次に表示するデータを公開（投影）するための操作を行う（ステップＳ５５）。操作部は、ＨＴＴＰにより、次のデータを公開する公開要求を、送信制御部１１に送信する（ステップＳ５６）。送信制御部１１は、当該公開要求を、データ管理部１２に送信する（ステップＳ５７）。データ管理部１２は、データと公開用データとを送信制御部１１に送信する（ステップＳ５８）。送信制御部１１は、データを操作部に送信する（ステップＳ５９）。送信制御部１１は、公開用データを表示部に送信する（ステップＳ６０）。操作部は、ユーザーにステップＳ５９で送信制御部１１から受信したデータを表示する（ステップＳ６１）。
【００３２】
なお、上述の説明では、操作部（ＰＣ３０や携帯端末４０など）と送信制御部１１との間で、ＨＴＴＰを使用している。しかしながら、操作部と送信制御部１１との間で使用するプロトコルは、ＨＴＴＰ（Ｓ）に限られず、任意のプロトコルでよい。
【００３３】
図８は、本実施の形態のサーバ装置１０のハードウェア構成の一例を示す図である。本実施の形態のサーバ装置１０は、制御装置８１、主記憶装置８２、補助記憶装置８３、表示装置８４、入力装置８５及び通信装置８６を備える。制御装置８１、主記憶装置８２、補助記憶装置８３、表示装置８４、入力装置８５及び通信装置８６は、バス８７を介して互いに接続されている。
【００３４】
制御装置８１は、補助記憶装置８３から主記憶装置８２に読み出されたプログラムを実行する。主記憶装置８２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリである。補助記憶装置８３は、例えば、ハードディスクやメモリカード等である。表示装置８４は、サーバ装置１０の状態等を表示する画面である。表示装置８４は、例えば、液晶ディスプレイ等である。入力装置８５は、サーバ装置１０を操作するためのインタフェースである。入力装置８５は、例えば、キーボードやマウス等である。通信装置８６は、ネットワークに接続するためのインタフェースである。
【００３５】
本実施の形態のサーバ装置１０で実行されるプログラムを、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記録媒体に記録し、コンピュータ・プログラム・プロダクトとして提供してもよい。また、本実施の形態のサーバ装置１０で実行されるプログラムを、インターネット等のネットワークに接続されたコンピュータ上に格納し、ネットワーク経由でダウンロードさせることにより提供してもよい。また、本実施の形態のサーバ装置１０で実行されるプログラムをダウンロードさせずに、インターネット等のネットワーク経由で提供、又は配布してもよい。また、本実施の形態のサーバ装置１０のプログラムを、ＲＯＭ等に予め組み込んで提供してもよい。
【００３６】
本実施の形態のサーバ装置１０で実行されるプログラムは、上述したサーバ装置１０の各機能ブロックのうち、プログラムとしても実現可能な機能ブロックを含むモジュール構成となっている。当該モジュールは、実際のハードウェアとしては、制御装置８１が上記記憶媒体からプログラムを読み出して実行することにより、上記各モジュールが主記憶装置８２上にロードされる。すなわち、上記各モジュールは、主記憶装置８２上に生成される。なお、サーバ装置１０の各機能ブロックの一部、又は全部を、プログラムにより実現せずに、ＩＣ（Ｉｎｔｅｇｒａｔｅｄ  Ｃｉｒｃｕｉｔ）等のハードウェアにより実現してもよい。
【００３７】
本実施の形態の表示制御システム１００によれば、送信制御部１１及び画像処理部１３を備えることにより、用途に応じて異なる画面を出力するときのユーザーの利便性をより高くすることができる。
【符号の説明】
【００３８】
１０  サーバ装置
１１  送信制御部
１２  データ管理部
１３  画像処理部
１４  履歴管理部
１５  キャッシュ管理部
１６  ユーザー管理部
１７  監視部
１８  共有制御部
１９  アクセス権制御部
２０  表示制御部
２１  記憶部
２２  キャッシュ部
３０  ＰＣ
４０  携帯端末
５０  プロジェクター
６０  ディスプレイ
７１  本文情報
７２  付記情報
８１  制御装置
８２  主記憶装置
８３  補助記憶装置
８４  表示装置
８５  入力装置
８６  通信装置
８７  バス
１００  表示制御システム
【先行技術文献】
【特許文献】
【００３９】
【特許文献１】特許第４６３６１３６号公報
【図１】
2014178898.tif 000003
【図２】
2014178898.tif 000004
【図３】
2014178898.tif 000005
【図４】
2014178898.tif 000006
【図５】
2014178898.tif 000007
【図６】
2014178898.tif 000008
【図７】
2014178898.tif 000009
【図８】
2014178898.tif 000010